(57)【要約】【課題】毛髪へのダメージがなく、ボリューム感のある所望する任意のパーマネントウェーブ形状を安価にできるパーマネントウェーブ形成器具及びパーマネントウェーブ処理方法を提供する。【解決手段】毛髪束との当接面が短冊状の樹脂シート体１３と、この長手方向の一方の端部に毛髪束を包含した後に繋止させるための面ファスナーの個片状フック体１４と、樹脂シート体１３の長手方向の他方の端部に面ファスナーの帯状ループ体１５と、樹脂シート体１３の反対側面に面ファスナーのループ体１６と、樹脂シート体１３とループ体１６を貫通する複数の貫通孔１７を設ける毛髪束包含用シート１１を有すると共に、毛髪束を包含する毛髪束包含用シート１１のループ体１６を当接させて巻き付けた状態で毛髪束にパーマネントウェーブを付与するための面ファスナーのフック体１８を外周面に設ける円筒状ロッド１２を有する。【選択図】図１
2011206236.tif 000002
【特許請求の範囲】
【請求項１】
毛髪束との当接面が短冊状の樹脂シート体と、該樹脂シート体の長手方向の一方の端部に前記毛髪束を包含した後に繋止させるための面ファスナーの個片状フック体と、前記樹脂シート体の前記長手方向の他方の端部に前記個片状フック体を繋止させるための前記面ファスナーの帯状ループ体と、前記樹脂シート体の反対側面に前記面ファスナーのループ体と、前記樹脂シート体と前記ループ体を貫通する複数の貫通孔を設ける毛髪束包含用シートを有すると共に、前記毛髪束を包含する前記毛髪束包含用シートの前記ループ体を当接させて巻き付けた状態で前記毛髪束にパーマネントウェーブを付与するための前記面ファスナーのフック体を外周面に設ける円筒状ロッドを有することを特徴とするパーマネントウェーブ形成器具。
【請求項２】
請求項１記載のパーマネントウェーブ形成器具において、前記毛髪束包含用シートの前記個片状フック体が複数個からなり、該複数個が断続的に整列して有することを特徴とするパーマネントウェーブ形成器具。
【請求項３】
請求項１又はこれに従属する請求項２記載のパーマネントウェーブ形成器具において、前記毛髪束包含用シートの前記貫通孔が楕円形、又は長円形からなり、長さ方向を一定の方向に整列する第１の貫通孔と、該第１の貫通孔の前記長さ方向に対して一定の角度で傾斜する前記第１の貫通孔と大きさ、形状が同等、又は異なる第２の貫通孔を有することを特徴とするパーマネントウェーブ形成器具。
【請求項４】
請求項１又はこれに従属する請求項２又は３のいずれか一項記載のパーマネントウェーブ形成器具を用いて、毛髪束にウェーブを付与するパーマネントウェーブ処理方法であって、
前記毛髪束を把持して櫛で解くと共に、前記毛髪束包含用シートの前記樹脂シート体の表面を前記パーマネントウェーブを付与する部分となる位置の前記毛髪束に当接させ、前記短冊状の前記樹脂シート体を内側に前記長手方向に２つ折りにして前記毛髪束を抱き込み、前記個片状フック体を前記帯状ループ体に繋止して前記毛髪束を前記毛髪束包含用シートに包含させる工程と、
前記毛髪束包含用シートで包含された前記毛髪束の毛根側である前記毛髪束包含用シートの上端部、又は前記毛髪束の毛先側である前記毛髪束包含用シートの下端部の一方の端部の前記２つ折り扁平部の前記ループ体を、前記円筒状ロッドの前記フック体に当接して繋止させると共に、前記毛髪束包含用シートを前記円筒状ロッド及び／又は前記毛髪束包含用シート上に順次巻き付けながら前記毛髪束包含用シートの他方の端部の前記ループ体を、前記円筒状ロッドの前記フック体に当接させて繋止して前記毛髪束を前記円筒状ロッドに定置させる工程と、
前記円筒状ロッドに巻き付けた前記毛髪束包含用シートの上面からパーマネントウェーブ処理液を塗布し、前記毛髪束包含用シートの前記貫通孔を介して前記毛髪束にムラ無く前記パーマネントウェーブ処理液を浸透させる工程を有することを特徴とするパーマネントウェーブ処理方法。
【発明の詳細な説明】
【技術分野】
【０００１】
本発明は、毛髪束にパーマネントウェーブを施すために用いるパーマネントウェーブ形成器具及びこれを用いるパーマネントウェーブ処理方法に関し、より詳細には、毛髪束を包み込んだ状態で円筒状ロッドに巻き付けパーマネントウェーブを形成するのに繰り返して使用できるパーマネントウェーブ形成器具と、これを用いて毛髪束にパーマネントウェーブを付与するパーマネントウェーブ処理方法に関する。
【背景技術】
【０００２】
従来から美容院等では、頭部の毛髪を１又は複数の毛髪束にしてこの毛髪束を円筒状ロッドに巻き付け、この状態でパーマネントウェーブ処理して毛髪束にウェーブを付与することが行われている。このパーマネントウェーブ処理をするに当たっては、毛髪束を円筒状ロッドに巻き付ける前に、毛髪束を包含するためにパーマネントウェーブ処理専用の短冊状のコールドペーパーが用いられている。このコールドペーパーは、毛髪束を包み込むために一般的に多く市販されて使用されているもので、毛髪に馴染みやすく、パーマネントウェーブ処理液に対して浸透性や、伸縮性に優れ、耐熱性のある特殊紙からなっている。また、このコールドペーパーは、１度使用した後も、洗浄して乾燥させることで再利用が可能であるが、厚みの厚いもので７〜９回程度、厚みの薄いもので１〜２回程度の使用となっており、いずれも消耗品である。
【０００３】
上記の従来のコールドペーパーを用いるパーマネントウェーブ処理方法は、毛髪束を円筒状ロッドに巻き付けるに際して、先ず、毛髪束を把持した状態でこの毛髪束を櫛で扁平状に解くと共に、この扁平状を維持しながら毛髪束の毛先からウェーブを付与する部分の上端部までをコールドペーパーを短冊状の長手方向に２つ折りにした内部に包み込むようにして包含している。次いで、コールドペーパーで包含された毛髪束は、この扁平部を、表面が滑らかな曲面からなる円筒状ロッドに当接させ、扁平状を維持させた状態で円筒状ロッドを回動させながら円筒状ロッドに巻き付けている。次に、円筒状ロットに巻き付けたコールドペーパーで包含された毛髪束は、円筒状ロッドの両端にコールド用輪ゴムを引っ掛けてコールドペーパーの上から抑えるようにして円筒状ロッドに定置している。更に、コールド用輪ゴムで押さえ付けられたコールドペーパーで包含された毛髪束には、コールド用輪ゴムの押さえ付け跡が付くのを防止するために、木製や、樹脂製からなる爪楊枝のようなスティックを毛髪束と、円筒状ロッドの間に差し込んでいる。そして、円筒状ロッドに巻き付けてコールド用輪ゴムで押さえ付け、スティックでコールド用輪ゴムの押さえ付け跡を防止したコールドペーパーで包含された毛髪束には、コールドペーパーの上面からパーマネントウェーブ処理液を塗布し、浸透性のあるコールドペーパーを介してパーマネントウェーブ処理液を毛髪束に浸透させている。
【０００４】
なお、上記のコールド用輪ゴムは、パーマネントウェーブ処理液等や、加熱に対して耐久性のあるゴムからなっており、弾力性が消失したり、断線したりするまで複数回の使用が可能となっている。また、円筒状ロットに巻き付けたコールドペーパーで包含された毛髪束は、コールド用輪ゴムで円筒状ロッドに定置する以外に、クリップで止めて定置することもできる。
【０００５】
従来の毛髪カール・ウェーブ付け用シートとその使用方法には、渦巻き状に巻回されるシート状基体に毛髪を巻き付けまたは巻き込んで、毛髪にカールやウェーブを付与する毛髪カール・ウェーブ付け用シートであって、シート状基体に所定の透湿性と剛柔性とを設定し、シート状基体に多数の小孔を開設すると共に、シート状基体と毛髪とを渦巻き状に巻回をした際に、小孔に係合して巻回状態を保持する多数の線状突起をシート状基体の一側面に配設するものが提案されている（例えば、特許文献１参照）。
これによると、毛髪にカールやウェーブを付与するにあたり、熟練技術を要することなく、所望の巻き径を自由に設定して利便性を高めることができるとしている。
【０００６】
また、従来のパーマネントウェーブ形成器具には、毛髪を挟持する吸水性のシートと、毛髪を挟んだシートを巻き付けるロッドを備えてなるパーマネントウェーブ形成器具において、シートの一端をロッドに固着すると共に、巻回したシートの巻戻り防止のための止め具をロッドと一体に設けるものが提案されている（例えば、特許文献２参照）。
これによると、従来器具による作業の煩雑さを解消し、熟練者でなくとも容易且つ迅速に毛髪のカール作業を行うことができるとしている。
【０００７】
更に、従来のパーマネント用毛髪巻き付け具には、髪に巻いて巻き癖をつけるためのものであって、任意な形状に変形可能な金属箔と、この金属箔の裏面側に貼り合わせたパーマネント用液を浸透させる吸水シートとからなり、金属箔にはパーマネント用液を吸水シート側に通す複数の孔を設けるものが提案されている（例えば、特許文献３参照）。
これによると、髪に複雑な形状のウェーブを簡単につけられるようにし、ヘアスタイルの自由度を高めることができるとしている。
【先行技術文献】
【特許文献】
【０００８】
【特許文献１】特開２００９−５０３０２号公報
【特許文献２】特開平１０−２５７９１６号公報
【特許文献３】特開平１０−２５７９１５号公報
【発明の概要】
【発明が解決しようとする課題】
【０００９】
しかしながら、前述したような従来のパーマネントウェーブ形成器具及びこれを用いるパーマネントウェーブ処理方法は、次のような問題がある。
従来のパーマネントウェーブ形成器具で毛髪束包含用シートとして用いられるコールドペーパーは、毛髪束を包み込んだ後、円筒状ロッドに巻き付けるときに、円筒状ロッドの表面で滑り易く、円筒状ロッドから外れたり、緩んだりして強固に固定させることができなく作業能率の低下となると共に、ウェーブの仕上がり状態の低下となっている。また、コールドペーパーは、再利用が可能であるというものの、厚みの厚いものでも１０回程度の使用で破損し、厚みの薄いものでは１回〜３回程度の使用で破損するので、補充が必要となりパーマネントウェーブ処理費用のコストアップとなっている。しかも、パーマネントウェーブ処理にコールドペーパーを使用し、円筒状ロッドに巻き付けた後、これを定置させるためにコールド用輪ゴムを用いる場合には、コールド用輪ゴムが劣化するので、補充が必要となりパーマネントウェーブ処理費用のコストアップとなっている。
【００１０】
特開２００９−５０３０２号公報で開示されるような毛髪カール・ウェーブ付け用シートとその使用方法は、本願の毛髪束包含用シートに相当する毛髪カール・ウェーブ付け用シートが毛髪束を載置させる一側面に多数の線状突起を配設しているので、パーマネントウェーブを形成した後に線状突起に毛髪束がからみつき毛髪を傷つけることとなっている。また、この毛髪カール・ウェーブ付け用シートとその使用方法では、毛髪カール・ウェーブ付け用シートを円筒状ロッドに巻き付けるのではなく、直接巻回するものであるので、パーマネントウェーブの仕上がりが単純な渦を巻いて下方に垂れ下がったのみで毛髪のボリューム感の特徴が殆ど出ていない状態となっている。
【００１１】
また、特開平１０−２５７９１６号公報で開示されるようなパーマネントウェーブ形成器具は、シートの一端を固着させた円筒状ロッドと、シートの間に毛髪束を挟み込みながら巻き込んいるので、毛髪束の挟み込みながらの巻き込みに熟練度を要することとなっている。また、このパーマネントウェーブ形成器具では、単に毛髪束を巻回するだけであるので、パーマネントウェーブの仕上がりが単純な渦を巻いて下方に垂れ下がったのみで毛髪のボリューム感の特徴が殆ど出ていない状態となっている。更に、このパーマネントウェーブ形成器具では、シートの逆戻り防止をはかるために、円筒状ロッドに一体で設けたコールド用輪ゴムのような止め具を備えているので、コールド用輪ゴムの劣化によってパーマネントウェーブ形成器具全体の機能が発揮できなくなり、取り替えの必要があってパーマネントウェーブ処理費用のコストアップとなっている。
【００１２】
更に、特開平１０−２５７９１５号公報で開示されるようなパーマネント用毛髪巻き付け具は、パーマネント用液を通す孔を設けた金属箔によって、パーマネント用液の浸透ムラを防止して毛髪を任意の形状のパーマネントウェーブに形成することが可能であるが、パーマネント用液を通す孔を設けた金属箔の使用が１度だけであり、しかも金属箔が高価であるので、パーマネントウェーブ処理費用のコストアップとなっている。
【００１３】
本発明は、かかる事情に鑑みてなされたものであって、毛髪へのダメージがなく、ボリューム感のある所望する任意のパーマネントウェーブ形状を安価にできるパーマネントウェーブ形成器具及びこれを用いるパーマネントウェーブ処理方法を提供することを目的とする。
【課題を解決するための手段】
【００１４】
前記目的に沿う本発明に係るパーマネントウェーブ形成器具は、毛髪束との当接面が短冊状の樹脂シート体と、樹脂シート体の長手方向の一方の端部に毛髪束を包含した後に繋止させるための面ファスナーの個片状フック体と、樹脂シート体の長手方向の他方の端部に個片状フック体を繋止させるための面ファスナーの帯状ループ体と、樹脂シート体の反対側面に面ファスナーのループ体と、樹脂シート体とループ体を貫通する複数の貫通孔を設ける毛髪束包含用シートを有すると共に、毛髪束を包含する毛髪束包含用シートのループ体を当接させて巻き付けた状態で毛髪束にパーマネントウェーブを付与するための面ファスナーのフック体を外周面に設ける円筒状ロッドを有する。
【００１５】
ここで、上記のパーマネントウェーブ形成器具は、毛髪束包含用シートの個片状フック体が複数個からなり、複数個が断続的に整列して有するのがよい。
【００１６】
また、上記のパーマネントウェーブ形成器具は、毛髪束包含用シートの貫通孔が楕円形、又は長円形からなり、長さ方向を一定の方向に整列する第１の貫通孔と、第１の貫通孔の長さ方向に対して一定の角度で傾斜する第１の貫通孔と大きさ、形状が同等、又は異なる第２の貫通孔を有するのがよい。
【００１７】
更に、上記のパーマネントウェーブ形成器具を用いるパーマネントウェーブ処理方法は、毛髪束を把持して櫛で解くと共に、毛髪束包含用シートの樹脂シート体の表面をパーマネントウェーブを付与する部分となる位置の毛髪束に当接させ、短冊状の樹脂シート体を内側に長手方向に２つ折りにして毛髪束を抱き込み、個片状フック体を帯状ループ体に繋止して毛髪束を毛髪束包含用シートに包含させる工程と、毛髪束包含用シートで包含された毛髪束の毛根側である毛髪束包含用シートの上端部、又は毛髪束の毛先側である毛髪束包含用シートの下端部の一方の端部の２つ折り扁平部のループ体を、円筒状ロッドのフック体に当接して繋止させると共に、毛髪束包含用シートを円筒状ロッド及び／又は毛髪束包含用シート上に順次巻き付けながら毛髪束包含用シートの他方の端部のループ体を、円筒状ロッドのフック体に当接させて繋止して毛髪束を円筒状ロッドに定置させる工程と、円筒状ロッドに巻き付けた毛髪束包含用シートの上面からパーマネントウェーブ処理液を塗布し、毛髪束包含用シートの貫通孔を介して毛髪束にムラ無くパーマネントウェーブ処理液を浸透させる工程を有するのがよい。
【発明の効果】
【００１８】
上記のパーマネントウェーブ形成器具は、毛髪束との当接面が短冊状の樹脂シート体と、樹脂シート体の長手方向の一方の端部に毛髪束を包含した後に繋止させるための面ファスナーの個片状フック体と、樹脂シート体の長手方向の他方の端部に個片状フック体を繋止させるための面ファスナーの帯状ループ体と、樹脂シート体の反対側面に面ファスナーのループ体と、樹脂シート体とループ体を貫通する複数の貫通孔を設ける毛髪束包含用シートを有すると共に、毛髪束を包含する毛髪束包含用シートのループ体を当接させて巻き付けた状態で毛髪束にパーマネントウェーブを付与するための面ファスナーのフック体を外周面に設ける円筒状ロッドを有するので、毛髪束包含用シートの樹脂シート体の表面で毛髪束にダメージを与えることなく容易に包含でき、毛髪束を包含した毛髪束包含用シートの面ファスナーのループ体を面ファスナーのフック体を外周面に備える円筒状ロッドに当接させて任意の形状に巻付けでき、巻付けただけの状態のままで毛髪束包含用シートの貫通孔を介してパーマネントウェーブ処理液を毛髪束にムラ無く浸透させてパーマネントウェーブを付与でき、毛髪へのダメージがなく、毛髪にボリューム感を持たせた任意のパーマネントウェーブ形状を形成することができる。また、このパーマネントウェーブ形成器具は、コールドペーパーや、コールド用輪ゴム等の止め具を必要としない繰り返して使用できる毛髪束包含用シートと、この毛髪束包含用シートを円筒状ロッドに繋止して定置させるだけの効率的な作業効率で、パーマネントウェーブ形成を安価にすることができる。
【００１９】
特に、上記のパーマネントウェーブ形成器具は、毛髪束包含用シートの個片状フック体が複数個からなり、複数個が断続的に整列して有するので、毛髪束を樹脂シート体の表面で巻き込んだ毛髪束包含用シートの面ファスナーの帯状ループ体に、複数の個片状フック体を容易に繋止させることができると共に、円筒状ロッドに捩るように巻き付けても個片状フック体が断続的に整列していることで個片状フック体がない部分で捩れを吸収して短冊状自体に捩れ等の発生がなく巻き付けることができ、パーマネントウェーブ処理能率を向上させてパーマネントウェーブ形状を安価に形成することができる。
【００２０】
また、特に、上記のパーマネントウェーブ形成器具は、毛髪束包含用シートの貫通孔が楕円形、又は長円形からなり、長さ方向を一定の方向に整列する第１の貫通孔と、第１の貫通孔の長さ方向に対して一定の角度で傾斜する第１の貫通孔と大きさ、形状が同等、又は異なる第２の貫通孔を有するので、円筒状ロッドに捩るように巻き付けても第１の貫通孔と第２の貫通孔が捩れを吸収して滑らかに巻き付けることができ、毛髪にボリューム感を持たせた任意のパーマネントウェーブ形状を安価に形成することができる。
【００２１】
更に、上記のパーマネントウェーブ形成器具を用いるパーマネントウェーブ処理方法は、毛髪束を把持して櫛で解くと共に、毛髪束包含用シートの樹脂シート体の表面をパーマネントウェーブを付与する部分となる位置の毛髪束に当接させ、短冊状の樹脂シート体を内側に長手方向に２つ折りにして毛髪束を抱き込み、個片状フック体を帯状ループ体に繋止して毛髪束を毛髪束包含用シートに包含させる工程と、毛髪束包含用シートで包含された毛髪束の毛根側である毛髪束包含用シートの上端部、又は毛髪束の毛先側である毛髪束包含用シートの下端部の一方の端部の２つ折り扁平部のループ体を、円筒状ロッドのフック体に当接して繋止させると共に、毛髪束包含用シートを円筒状ロッド及び／又は毛髪束包含用シート上に順次巻き付けながら毛髪束包含用シートの他方の端部のループ体を、円筒状ロッドのフック体に当接させて繋止して毛髪束を円筒状ロッドに定置させる工程と、円筒状ロッドに巻き付けた毛髪束包含用シートの上面からパーマネントウェーブ処理液を塗布し、毛髪束包含用シートの貫通孔を介して毛髪束にムラ無くパーマネントウェーブ処理液を浸透させる工程を有するので、毛髪へのダメージがなく、毛髪にボリューム感のある任意のパーマネントウェーブ形状を繰り返して使用できるパーマネントウェーブ形成器具を用いて安価に形成することができるパーマネントウェーブ処理方法を提供することができる。
【図面の簡単な説明】
【００２２】
【図１】（Ａ）、（Ｂ）はそれぞれ本発明の一実施の形態に係るパーマネントウェーブ形成器具の毛髪束包含用シートの一方の主面の平面図、他方の主面の平面図である。
【図２】同パーマネントウェーブ形成器具の円筒状ロッドの説明図である。
【図３】同パーマネントウェーブ形成器具を用いるパーマネントウェーブ処理方法の工程図である。
【発明を実施するための形態】
【００２３】
続いて、添付した図面を参照しつつ、本発明を具体化した実施の形態について説明し、本発明の理解に供する。
本発明の一実施の形態に係るパーマネントウェーブ形成器具は、毛髪束包含用シート１１（図１（Ａ）、（Ｂ）参照）と、円筒状ロッド１２（図２参照）で構成されている。図１（Ａ）、（Ｂ）に示すように、パーマネントウェーブ形成器具の毛髪束包含用シート１１は、毛髪束との当接面が短冊状の樹脂シート体１３を有している。この樹脂シート体１３は、特に、材質を限定するものではないが、ナイロンや、ポリエステル等の耐薬品性、耐熱性、耐水性のある樹脂繊維を編み上げて形成されたシート体からなり、大きさも限定するものではないが、長さ２０〜２５ｃｍ、幅５〜８ｃｍ程度のものが１つの毛髪束を包み込むのに適している。また、毛髪束包含用シート１１は、特に、表面状態を限定するものではないが、表面に微少の凹凸を設けることで毛髪束を載置させて包み込むときに毛髪束を滑り難くさせることができる。
【００２４】
上記の毛髪束包含用シート１１は、樹脂シート体１３の短冊状の長手方向の一方の端部に、毛髪束を包含した後に繋止させるための面ファスナーの個片状フック体１４を有している。この個片状フック体１４は、ナイロンや、ポリエステル等で形成された通常の面ファスナーのカギ状面であるフックを設けたシート体からなり、特に、大きさ、形状を限定するものではないが、例えば、長さ１〜３ｃｍ、幅３〜７ｍｍ程度の長方形状の個片体として樹脂シート体１３に縫い付けたり、接着したりして取り付けられている。また、毛髪束包含用シート１１は、樹脂シート体１３の短冊状の長手方向の他方の端部に、個片状フック体１４を繋止させるための面ファスナーの帯状ループ体１５を有している。この帯状ループ体１５は、通常の面ファスナーの輪っか状面であるループを設けたシート体からなり、特に、形状を限定するものではないが、幅３〜７ｍｍ程度の細長い帯状体として樹脂シート体１３に縫い付けたり、接着したりして取り付けられている。
【００２５】
更に、上記の毛髪束包含用シート１１は、樹脂シート体１３の反対側面に面ファスナーのループ体１６を有している。このループ体１６は、樹脂シート体１３自体にループを設けたものであり、これ自体が一般に広く市販されているナイロンや、ポリエステル等で形成された面ファスナーのループ側を構成するシート体からなっている。なお、前述した帯状ループ体１５は、このループ体１６の長手方向の端部を樹脂シート体１３側に折り曲げてこれを縫い付けたり、接着したりして設けることもできる。
【００２６】
そして、上記の毛髪束包含用シート１１は、樹脂シート体１３と、ループ体１６を貫通する複数の貫通孔１７を設けている。この貫通孔１７は、毛髪束を包み込んだ毛髪束包含用シート１１を円筒状ロッド１２に巻き付けるときの自由度を確保できると共に、毛髪束に、パーマネントウェーブ処理液を通過させて満遍なくゆきわたらせることができるように作用している。
【００２７】
図２に示すように、パーマネントウェーブ形成器具の円筒状ロッド１２は、円筒体の外周面に、例えば複数本のリング状に形成した面ファスナーのフック体１８を有している。このフック体１８は、毛髪束を包含する上記の毛髪束包含用シート１１のループ体１６を当接させて巻き付けた状態で毛髪束にパーマネントウェーブを付与するのに設けられている。このフック体１８を保持するための円筒体本体１９は、耐薬品性、耐熱性、耐水性のある硬質プラスチック等で形成される縦骨と横骨で格子状の骨格からなり、様々なウェーブ形状に応じて対応できるように様々な径、長さで、例えば、直円筒や、鼓状円筒等の円筒形状に形成されている。そして、この円筒体本体１９に取り付けられるフック体１８は、面ファスナーのカギ状面であるフックが、細いリング状体の複数本が等間隔に整列して設けられたシート体からなっている。このシート体自体は、通気性のあるものがよく、パーマネントウェーブ処理液を毛髪束に満遍なくゆきわたらせることができるようになっている。なお、円筒状ロッド１２は、毛髪の長さや、所望するパーマネントウェーブ形状等によって最適なものを選択するようになっている。
【００２８】
上記のパーマネントウェーブ形成器具においては、毛髪束包含用シート１１の面ファスナーの個片状フック体１４が複数個からなるのがよい。そして、個片状フック体１４の複数個は、断続的に整列して設けられているのがよい。毛髪束包含用シート１１には、毛髪束を包含させて、断続的に整列して設けられた個片状フック体１４を帯状ループ体１５に取り付けた後、ループ体１６を円筒状ロッド１２のフック体１８に巻き付けるときに、個片状フック体１４のない部分で毛髪束包含用シート１１に捩れを吸収して巻き付けることができるので、毛髪束に捩れを発生させることなくパーマネントウェーブを付与することができる。
【００２９】
上記のパーマネントウェーブ形成器具においては、毛髪束包含用シート１１の貫通孔１７が楕円形、又は長円形からなるのがよい。この楕円形、又は長円形の大きさは、特に、限定するものではないが、幅２〜３ｍｍ、長さ１〜１．５ｃｍ程度であれば、貫通孔１７を介してパーマネントウェーブ処理液を毛髪束に満遍なくゆきわたらせることができると共に、毛髪束を包含させた毛髪束包含用シート１１を円筒状ロッド１２に巻き付けやすくなる。また、この楕円形、又は長円形の貫通孔１７は、長さ方向を一定の方向、例えば短冊状の長さ方向に並行に整列する第１の貫通孔１７ａと、この第１の貫通孔１７ａの長さ方向に対して一定の角度で傾斜する第２の貫通孔１７ｂを有するのがよい。そして、第１の貫通孔１７ａと、第２の貫通孔１７ｂは、大きさ、形状が同等、又は異なってもよいようになっている。この第１の貫通孔１７ａと、第２の貫通孔１７ｂを設けた毛髪束包含用シート１１は、毛髪束を包含させた後、円筒状ロッド１２に巻き付けるときに、捩れを第１の貫通孔１７ａと、第２の貫通孔１７ｂの組み合わせで吸収して巻き付けることができると共に、第１の貫通孔１７ａと、第２の貫通孔１７ｂを介してパーマネントウェーブ処理液を毛髪束に満遍なくゆきわたらせることができるので、毛髪束に捩れを発生させることなく任意のパーマネントウェーブを付与することができる。
【００３０】
次いで、図３の工程図を参照しながら、上記のパーマネントウェーブ形成器具を用いて、毛髪束にウェーブを付与するパーマネントウェーブ処理方法を説明する。
このパーマネントウェーブ処理方法は、頭部の毛髪を１又は複数の毛髪束にして、この毛髪束にウェーブを付与するための処理方法である。この毛髪束にウェーブを付与する際には、先ず、毛髪を洗髪液で洗髪している。この洗髪では、指先での摩擦を弱くして、頭皮に傷を付けないよう注意し、パーマネントウェーブ処理液のパーマネントウェーブ用第１剤、又は化粧品処方のカーリング剤を塗布したときに頭皮に刺激が発生するの防止することが必要である。また、洗髪液には、シリコン系溶剤を含有した洗髪液の場合には、シリコンが毛髪表面に付着してウェーブ形成にムラがでたり、パーマネントウェーブ用第１剤、又は化粧品処方カーリングローション用第１剤を塗布して均等に染み渡るまでに長時間を必要とするので、シリコン系溶剤を含有しないものを用いるのがよい。
【００３１】
次に、洗髪後は、スポイド容器に収納したパーマネントウェーブ処理液のパーマネントウェーブ用第１剤、又は化粧品処方カーリングローション用第１剤を毛髪束に万遍なくムラのないように均等に塗布している。なお、ここで用いられるパーマネントウェーブ用第１剤には、チオグリコール酸、チオグリコール酸アンモニウム、チオ乳酸等のチオグリコール酸塩類や、システイン、システイン塩酸塩等のシステイン酸塩類や、システアミン、Ｎ−アセチルシステイン等のシステイン誘導体や、チオグリセリルアルキルエーテル、メルカプトアルキルアミド、亜硫酸塩、亜硫酸水素塩等の還元剤が含まれている。また、パーマネントウェーブ用第１剤には、化粧品処方カーリングローション用第１剤を含有するものもある。なお、パーマネントウェーブ用第１剤や、化粧品処方カーリングローション用第１剤は、スポイド容器に収納されているが、内容液は液状、ジェル状、あるいはクリーム状等特に限定されものではなく、毛髪に均等に塗布可能なものであればよい。
【００３２】
図３の工程（１）に示すように、上記の洗髪及びパーマネントウェーブ処理液塗布が終了した後のパーマネントウェーブ処理方法では、毛髪束を把持しながら毛髪束の全体が櫛に収まるようにして毛髪束を扁平状に解いている。これと共に、パーマネントウェーブ処理方法では、パーマネントウェーブ形成器具の毛髪束包含用シート１１の樹脂シート体１３の表面に、扁平状態を維持したままのパーマネントウェーブを付与する部分となる位置の毛髪束を当接させている。更に、パーマネントウェーブ処理方法では、短冊状の樹脂シート体１３を内側に長手方向に２つ折りにして毛髪束を抱き込んで、毛髪束包含用シート１１の個片状フック体１４を帯状ループ体１５に繋止させている。パーマネントウェーブ処理方法は、上記のような、毛髪束を毛髪束包含用シート１１に包含させる工程を有している。なお、この工程では、櫛で解いた毛髪束の形状を維持させながら容易に毛髪束包含用シート１１に包含させることができる。
【００３３】
また、図３の工程（２）に示すように、パーマネントウェーブ処理方法では、毛髪束包含用シート１１に包含された毛髪束の毛根側である毛髪束包含用シート１１の上端部、又は毛髪束の毛先側である毛髪束包含用シート１１の下端部の一方の端部の２つ折り扁平部のループ体１６を、円筒状ロッド１２のフック体１８に当接して繋止させている。これと共に、パーマネントウェーブ処理方法では、毛髪束包含用シート１１を円筒状ロッド１２及び／又は既に円筒状ロッド１２に巻き付けられた毛髪束包含用シート１１上に順次巻き付けながら毛髪束包含用シート１１の他方の端部のループ体１６を、円筒状ロッド１２のフック体１８に当接して繋止させている。パーマネントウェーブ処理方法は、上記のような、毛髪束を円筒状ロッド１２に定置させる工程を有している。なお、この工程では、毛髪束を包含した毛髪束包含用シート１１を円筒状ロッド１２に途中外れることなく、最後まで巻き付けることができ、しかも、巻き終わった後の接着力も強いので、コールド用輪ゴム等の止め具を必要としないで毛髪束包含用シート１１を繋止でき、毛髪束を所望する任意の形状に円筒状ロッド１２に巻き付けて定置させることができる。
【００３４】
更に、図３の工程（３）に示すように、パーマネントウェーブ処理方法では、円筒状ロッド１２に巻き付けた毛髪束包含用シート１１の上面から、上記の洗髪後に塗布したものと同様のスポイド容器に収納したパーマネントウェーブ処理液のパーマネントウェーブ用第１剤、又は化粧品処方カーリングローション用第１剤を塗布している。そして、パーマネントウェーブ処理方法は、毛髪束包含用シート１１の貫通孔１７（１７ａ、１７ｂ）を介して毛髪束にムラ無くパーマネントウェーブ処理液を浸透させる工程を有している。
【００３５】
なお、毛髪束にパーマネントウェーブを付与するには、上記の工程の後、毛髪束を包含した毛髪束包含用シート１１を円筒状ロッド１２に巻き付けた状態で加温加湿器か、遠赤外線の加熱で、５〜２０分間放置させている。そして、加熱後、テストカール状態を確認して毛髪束のウェーブのかかりが弱い場合には、再度パーマネントウェーブ処理液のパーマネントウェーブ用第１剤、又は化粧品処方カーリングローション用第１剤を塗布している。また、加熱後、テストカール状態を確認して毛髪束に希望のウェーブが付与されている場合には、円筒状ロッド１２に巻き付けた毛髪束包含用シート１１の上面から、パーマネントウェーブ用第１剤、又は化粧品処方カーリングローション用第１剤を洗い流している。
【００３６】
次に、円筒状ロッド１２に巻き付けた毛髪束包含用シート１１で包含された毛髪束には、パーマネントウェーブ処理液のパーマネントウェーブ用第２剤、又は化粧品処方カーリングローション用第２剤を塗布して５分間程度放置した後、再度パーマネントウェーブ用第２剤、又は化粧品処方カーリングローション用第２剤を塗布して１０分間程度放置している。ここで用いるパーマネントウェーブ用第２剤には、酸化剤を含有していることが必要であるが、その酸化剤としては、例えば、臭素酸カリウム、臭素酸ナトリウム、過ホウ酸ナトリウム、あるいは過酸化水素等があげられる。１０分間の放置後は、円筒状ロッド１２から毛髪束包含用シート１１を外すと共に、毛髪束包含用シート１１から毛髪束を取り出している。そして、毛髪束は、丁寧に水洗した後、ヘアスタイルに応じてドライヤーで乾燥させながら所望のパーマネントウェーブに仕上げている。なお、毛髪束から取り外した毛髪束包含用シート１１は、次のパーマネントウェーブ処理に使用するために、充分に水洗し、乾燥させて再利用に備えている。
【産業上の利用可能性】
【００３７】
本発明のパーマネントウェーブ形成器具及びパーマネントウェーブ処理方法は、毛髪へのダメージがなく、ボリューム感のある所望する任意のパーマネントウェーブ形状を安価できるパーマネントウェーブ形成のために用いることができる。
【符号の説明】
【００３８】
１１：毛髪束包含用シート、１２：円筒状ロッド、１３：樹脂シート体、１４：個片状フック体、１５：帯状ループ体、１６：ループ体、１７：貫通孔、１７ａ：第１の貫通孔、１７ｂ：第２の貫通孔、１８：フック体、１９：円筒体本体
【図１】
2011206236.tif 000003
【図２】
2011206236.tif 000004
【図３】
2011206236.tif 000005